(57)【要約】【課題】貯水槽内の水の濾過および、かびや菌の発生を抑え、連続給水を可能にすることのできる負イオン発生装置を提供することを目的とする。【解決手段】貯水槽６から吸引した水を衝突体１１に衝突させて発生した微細水滴および負イオンを含む空気を外部に送風する負イオン発生手段１３と薬剤含浸ペレット１５と濾過器１６を一体とした浄水ユニット１７とを備え、負イオン発生手段１３による負イオン発生後に貯水槽６に再び戻される水の戻り流路１４に浄水ユニット１７を設けたことにより、貯水槽６内の水の濾過およびかびや菌の発生を抑え、連続使用が可能な負イオン発生装置を得られる。【選択図】図１
2006075270.tif 000002
【特許請求の範囲】
【請求項１】
貯水槽から吸引した水を衝突体に衝突させて発生した微細水滴および負イオンを含む空気を外部に送風する負イオン発生手段と、薬剤含浸ペレットと濾過器を一体とした浄水ユニットとを備え、前記負イオン発生手段による負イオン発生後に前記貯水槽に再び戻される水の戻り流路に、前記浄水ユニットを配設した負イオン発生装置。
【請求項２】
濾過器は不織布からなる受皿形状で、薬剤含浸ペレットを遊動可能に収納した請求項１記載の負イオン発生装置。
【請求項３】
浄水ユニットを貯水槽の最高水位より上部に設けた請求項１記載の負イオン発生装置。
【請求項４】
薬剤含浸ペレットは、難水溶性の防かび剤と、難水溶性の防菌剤と、この第１の防菌剤を補完する水溶性の第２の防菌剤と、これらの薬剤を保有する粒状ペレットからなる請求項１記載の負イオン発生装置。
【請求項５】
負イオン発生手段を設けた本体と、この本体より引き出し可能に設けた貯水槽と、この貯水槽の上部に設けられる浄水ユニットと、この浄水ユニットに使用時間に応じた色変化をなすように設けられる薬剤含浸ペレットとを備え、前記貯水槽を引き出すときに、前記浄水ユニットの寿命を判定可能とした請求項１記載の負イオン発生装置。
【請求項６】
運転時間を積算するタイマーと表示手段を設け、運転時間が浄水ユニットの標準的な寿命時間を超えた後に、前記表示手段を駆動する構成とした請求項５記載の負イオン発生装置。
【請求項７】
濾過器に複数の収納部を設け、少なくとも１つの収納部に薬剤含浸ペレットを収納し、残りの収納部に脱臭手段またはイオン交換手段を収納してなる請求項１記載の負イオン発生装置。
【発明の詳細な説明】
【技術分野】
【０００１】
本発明は、室内の空気を浄化する負イオン発生装置に関する。
【背景技術】
【０００２】
従来、この種の負イオン発生装置は、雑菌を殺菌処理するものが知られている（例えば、特許文献１参照）。
【０００３】
以下、その負イオン発生装置について図８を参照しながら説明する。
【０００４】
図に示すように、水槽１０１から汲み上げて回転体１０２に供給すべき水、すなわち、回転体１０２より噴射して微細水滴に分裂させる水をヒータ１０３で加熱し、水中に含まれる雑菌を殺菌処理するもので、ヒータ１０３にカートリッジヒータを用い、水槽１０１内に設置し、水槽１０１内の水を加熱するもので、装置の運転中、停止中にかかわらずヒータ１０３に電源を投入して殺菌処理を可能としたものである。
【０００５】
また、この種の負イオン発生装置には、水槽内の水質の低下を検出したときに、装置の運転を停止させ、水槽内の水の交換を表示させるものが知られている（例えば、特許文献２参照）。
【０００６】
以下、その負イオン発生装置について図９を参照しながら説明する。
【０００７】
図に示すように、水槽１０４の一部または、水槽１０４からの水分裂部に通ずる管路１０５の一部に透明部分１０６を設け、透明部分１０６を挟んで発生素子１０７および受光素子１０８を配設し、マイコン１０９の制御によって発光素子１０７より発信した光を受光素子１０８で受光させ、これによって管路１０５内を流れる水の透明度が所定の基準値以下に低下したときには、水槽１０４内の水の交換が必要であると判定し、マイコン１０９により装置の運転停止指令あるいは水槽１０４内の強制排水指令を出力している。
【０００８】
また、この種の負イオン発生装置の一例となる空気清浄機は、水槽内の水の汚れを検知するものが知られている（例えば、特許文献３参照）。
【０００９】
以下、その空気清浄機について図１０および図１１を参照しながら説明する。
【００１０】
図に示すように、水槽１１０に水汚れ検出センサー１１１を設け、水の汚れが一定以上になったとき、水汚れ検出センサー１１１が検出した信号により制御用マイコン１１２が排水ポンプ１１３を作動させ、水槽１１０内の汚れた水を排出し、新しい水を水槽１１０に入れている。
【特許文献１】特許第３０３７６３４号公報（［００２８］〜［００２９］図１）
【特許文献２】特許第３１２００９７号公報（［００４２］図１０）
【特許文献３】特開平６−２９６８１７号公報（［００１３］図２、図４）
【発明の開示】
【発明が解決しようとする課題】
【００１１】
このような従来の第１の負イオン発生装置では、ヒータ１０３で水を加熱し、水中の雑菌を殺菌するものでは装置を熱に対応できる構造にしなければならないとともに、水を濾過できないという課題があり、常温で除塵、防かび、防菌を可能にすることが要求されている。
【００１２】
また、第２の負イオン発生装置では、水の透明度により水の汚染度を検知し、装置の運転を停止し、水の交換を表示するものであるので、水の汚れには対応できるが、防かび、防菌を同時に可能にできないという課題があり、防かび、防菌を同時に可能にすることが要求されている。
【００１３】
また、空気清浄機では、水槽１１０内の水の汚れを水汚れ検出センサー１１１で検出し、水が汚れたときには、水槽１１０の水を排水し、新しい水を入れるものであるので、水の汚れには対応できるが防かび、防菌を同時に可能にできないという課題があり、防かび、防菌を同時に可能にすることが要求されている。
【００１４】
本発明は、このような従来の課題を解決するものであり、貯水槽内の水の濾過に加えて、かびや菌の発生を抑え、水の交換頻度を少なくして連続使用を可能にすることができる負イオン発生装置を提供することを目的としている。
【課題を解決するための手段】
【００１５】
本発明の負イオン発生装置は上記目的を達成するために、貯水槽から吸引した水を衝突体に衝突させて発生した微細水滴および負イオンを含む空気を外部に送風する負イオン発生手段と、薬剤含浸ペレットと濾過器を一体とした浄水ユニットとを備え、前記負イオン発生手段による負イオン発生後に前記貯水槽に再び戻される水の戻り流路に、前記浄水ユニットを配設したものである。
【００１６】
この手段により、貯水槽内の水を濾過するだけでなく、かびや菌の発生を抑え、水の交換頻度を減らして連続使用を可能にすることができる負イオン発生装置が得られる。
【００１７】
また、他の手段は、濾過器は不織布からなる受皿形状で、薬剤含浸ペレットを遊動可能に収納したものである。
【００１８】
この手段により、不織布により粉塵が回収されるとともに、薬剤含浸ペレットにてかびや菌の発生を抑えることができる。
【００１９】
また、他の手段は、浄水ユニットを貯水槽の最高水位より上部に設けたものである。
【００２０】
この手段により、浄水ユニットに回収された粉塵の流出を防ぎ、薬剤含浸ペレットから水溶性成分の溶出を防止することができる。
【００２１】
また、他の手段は、薬剤含浸ペレットは、難水溶性の防かび剤と、難水溶性の第１の防菌剤と、この第１の防菌剤を補完する水溶性の第２の防菌剤と、これらの薬剤を保有する粒状ペレットからなる構成としたものである。
【００２２】
この手段により、水中のかびや菌に対し、効果的に、かつ必要寿命を得ることができ、また、送風路や部屋全体の防かび効果を程することができる。
【００２３】
また、他の手段は、負イオン発生手段を設けた本体と、この本体より引き出し可能に設けた貯水槽と、この貯水槽の上部に設けられる浄水ユニットと、この浄水ユニットに使用時間に応じた色変化をなすように設けられる薬剤含浸ペレットとを備え、前記貯水槽を引き出すときに、前記浄水ユニットの寿命を判定可能としたものである。
【００２４】
この手段により、水の継ぎ足し等で貯水槽を本体より引き出したときに薬剤含浸ペレットの色相の変化が容易に確認できる。
【００２５】
また、他の手段は運転時間を積算するタイマーと表示手段を設け、運転時間が浄水ユニットの標準的な寿命時間を超えた後に、前記表示手段を駆動する構成としたものである。
【００２６】
この手段により、浄水ユニットの交換時期が過ぎたことを別の手段で知らせることにより、使用者に浄水ユニットの交換を確実に知らせて、貯水槽の水質を良好に保つことができる。
【００２７】
また、他の手段は、濾過器に複数の収納部を設け、少なくとも１つの収納部に薬剤含浸ペレットを収納し、残りの収納部に脱臭手段またはイオン交換手段を収納したものである。
【００２８】
この手段により、臭い成分を捕獲することができたり、水中の不純物の生成を抑制することができる。
【発明の効果】
【００２９】
本発明によれば、貯水槽内の水の濾過および、かびや菌の発生を抑え、水の交換頻度を少なくして連続使用を可能にすることができる負イオン発生装置を提供できる。
【００３０】
また、粉塵が回収されるとともに、かびや菌の発生を抑えることができる。
【００３１】
また、浄水ユニットに回収された粉塵や、水溶性の防菌剤の流出を防ぐことができる。
【００３２】
また、送風路や部屋全体の防かび効果を奏することができる。
【００３３】
また、浄水ユニットの交換を忘れた場合でも、確実に交換時期を知ることができる。
【００３４】
また、臭い成分を捕集したり、水中における不純物の生成を抑制することができる。
【発明を実施するための最良の形態】
【００３５】
本発明の請求項１記載の発明は、貯水槽から吸引した水を衝突体に衝突させて発生した微細水滴および負イオンを含む空気を外部に送風する負イオン発生手段と、薬剤含浸ペレットと濾過器を一体とした浄水ユニットとを備え、前記負イオン発生手段による負イオン発生後に前記貯水槽に再び戻される水の戻り流路に、前記浄水ユニットを配設したものであり、貯水槽上部の水の戻り流路に浄水ユニットが設けられることにより、循環水路中に防かび、防菌剤と不織布よりなる濾過器が設けられることとなり、貯水槽内のかびや菌の発生が抑えられ、貯水槽への足し水より連続して使用することが可能となり、貯水槽の清掃も簡素化することができるという作用を有する。
【００３６】
また、請求項２記載の発明は、濾過器は不織布からなる受皿形状で薬剤含浸ペレットを遊動可能に収納したものであり、不織布のフィルター機能により循環水路中に含有される粉塵を回収し保持することができ、また、薬剤含浸ペレットが遊動可能に収納されていることにより、水との接触度が高まり、防かび、防菌効果が良好になるという作用を有する。
【００３７】
また、請求項３記載の発明は、浄水ユニットを貯水槽の最高水位より上部に設けたものであり、浄水ユニットは貯水槽の水に浸ることがないので、浄水ユニットに回収された粉塵や薬剤含浸ペレットから水溶性成分が多く溶出して貯水槽に流れ込むということがなくなり、粉塵の回収効率の低下や薬剤含浸ペレットの寿命低下を防止することができるという作用を有する。
【００３８】
また、請求項４記載の発明は、薬剤含浸ペレットは、難水溶性の防かび剤と、難水溶性の第１の防菌剤と、この第１の防菌剤を補完する水溶性の第２の防菌剤と、これらの薬剤を保有する粒状ペレットからなるものであり、２つ以上の防かび、防菌剤により、水中のかびや菌に対し、効果的に機能するとともに、必要寿命を得ることができ、また、蒸気圧ガスによる防かび効果を示す材料を混合することによって貯水槽だけでなく、送風路や部屋全体の防かび効果をもたらすことができるという作用を有する。
【００３９】
また、請求項５記載の発明は、負イオン発生手段を設けた本体と、この本体より引き出し可能に設けた貯水槽と、この貯水槽の上部に設けられる浄水ユニットと、この浄水ユニットに使用時間に応じた色変化をなすように設けられる薬剤含浸ペレットとを備え、前記貯水槽を引き出すときに、前記浄水ユニットの寿命を判定可能としたものであり、防かび、防菌効果寿命を示す色相の変化を給水時において本体より貯水槽を引き出したときに容易に確認することができるという作用を有する。
【００４０】
また、請求項６記載の発明は、運転時間を積算するタイマーと表示手段を設け、運転時間が浄水ユニットの標準的な寿命時間を越えた後に、前記表示手段を駆動する構成としたものであり、運転時間が積算され、浄水ユニットの標準的な寿命時間を越えると、寿命が来たことが表示手段により表示され、使用者に知らしめることができ、薬剤含浸ペレットの色変化による浄水ユニットの交換を忘れた場合でも、確実に交換を促すことができ、製品を所定の浄水機能を有する状態で使用することができるという作用を有する。
【００４１】
また、請求項７記載の発明は、濾過器に複数の収納部を設け、少なくとも１つの収納部に薬剤含浸ペレットを収納し、残りの収納部に脱臭手段またはイオン交換手段を収納したものであり、常に防かび、防菌効果をもたらしながら、活性炭や光触媒などの脱臭手段により、臭気成分を除去すること、またはイオン交換樹脂により、水中の不純物であるマグネシウムやカルシウムの化合物生成を抑制することができるという作用を有する。
【００４２】
以下、本発明の実施の形態について図面を参照しながら説明する。
【００４３】
（実施の形態１）
図１〜図３に示すように、吸込口１より吸い込み吹出口２より吹き出す空気流路３内に空気を流通する送風手段４を設けた本体５と、この本体５の下方部に引き出し自在に設けられる貯水槽６と、この貯水槽６内の水を給水ポンプ７により吸引し、吸引した水をモータ８により回動される水拡散板９に給水口１０より給水し、水拡散板９により拡散された水を衝突体１１に衝突させて微細水滴を発生させる微細水滴発生手段１２と、空気流路３内を流れる空気流と微細水滴を接触させて負イオンを発生させる負イオン発生手段１３を設ける。
【００４４】
また、負イオン発生手段１３による負イオン発生後に貯水槽６に再び戻される水の戻り流路１４に薬剤含浸ペレット１５と濾過器１６を一体に形成した浄水ユニット１７を設ける。
【００４５】
濾過器１６は、ポリエチレンからなる不織布フィルターを受皿形状にして薬剤含浸ペレット１５を遊動可能に収納している。薬剤含浸ペレット１５は、まず難水溶性の防かび剤を含浸し、有効成分がパラクロロメタキシレノールで難水溶性、蒸気圧ガス化で防かび効果および真菌、酵母に全般的に効果を発揮するものである。また、難水溶性の第１の防菌剤を含浸し、有効成分が２，４，４’−トリクロロ・ハイドロキシ・デイフェニルで、グラム陽性菌、グラム陰性菌に効果を発揮するものである。さらに第１の防菌剤を補完する水溶性の第２の防菌剤を含浸し、有効成分が有機窒素ハロゲン系化合物で、水に溶けてグラム陽性菌、グラム陰性菌に効果があり、特に緑膿菌に対し効果を発揮するものである。
【００４６】
このように複数の薬剤を保有する紙ベースの粒状ペレットにより形成されるとともに、薬剤含浸ペレット１５は使用時間に応じ色が変化するように形成し、また、浄水ユニット１７は貯水槽６の最高水位１８より上部に設け構成する。
【００４７】
上記構成において、まず負イオン発生装置を運転すると、送風手段４により空気流路３に気流が流れるとともに、貯水槽６内の水が給水ポンプ７により吸引され、給水口１０よりモータ８により回動されている水拡散板９に送られ、水拡散板９により水が拡散され衝突体１１に衝突して微細水滴が発生され、送風手段４から送られる空気流と接触し、負イオン発生手段１３により発生した微細水滴および負イオンを含む空気が外部に放散される。
【００４８】
次に負イオン発生手段１３による負イオン発生後に、外部に放散されなかった水滴は、水の戻り流路１４を通り貯水槽６に戻される。このとき、水の戻り流路１４には浄水ユニット１７が設けられていることにより、浄水ユニット１７を形成する不織布よりなる濾過器１６により粉塵が濾過されて浄化されるとともに、浄水ユニット１７に設けられる難水溶性の防かび剤と、難水溶性の第１の防菌剤と、この第１の防菌剤を補完する水溶性の第２の防菌剤とにより、防かび、防菌処理されて貯水槽６に戻されることとなる。
【００４９】
また、浄水ユニット１７は貯水槽６の最高水位１８より上部に設けられていることにより、浄水ユニット１７に捕集された粉塵および水溶性の第２の防菌剤が貯水槽６内の水に浸ることがないので、捕集された粉塵と第２の防菌剤が貯水槽６内に流出することはなくなる。
【００５０】
また、貯水槽６内の水が減少して水を補給するときには、貯水槽６を本体５より引き出すことにより、貯水槽６に設けた浄水ユニット１７が露出することとなり、浄水ユニット１７に設けた使用時間に応じた色変化をする薬剤含浸ペレット１５の色の変化により、浄水ユニット１７の寿命を知り、浄水ユニット１７を交換すべきかどうかの判定が可能となる。
【００５１】
次に本発明の負イオン発生装置における防かび、防菌剤の効果と貯水槽の水交換時期および貯水槽の清掃時期を図３に示すタイムチャートに基づいて説明する。
【００５２】
浄水ユニットを設けていない従来品では、菌繁殖防止のため、貯水槽の水の交換を毎日行い、また、貯水槽の清掃は５日目毎に行う必要があったが、浄水ユニットを設けた発明品では、貯水槽の水の交換は５日目毎に行い、貯水槽の清掃は１５日目毎に行えば良いこととなり、水交換の時期と清掃時期を従来品の約５倍に延ばすことができる。
【００５３】
また、浄水ユニットの防かび、防菌剤の効果は、水溶性の第２の防菌剤を除き、略３０日間、難水溶性の防かび剤と、難水溶性の第１の防菌剤とは、防かび、防菌効果をもたらすこととなる。また、浄水ユニットの薬剤含浸ペレットの色相の変化も、略３０日したら薄くなり、浄水ユニットの寿命が来たことを知ることができることとなる。
【００５４】
なお、実施の形態１では、負イオン発生手段１３として貯水槽６の水を給水ポンプ７により吸引し、給水口１０より水拡散板９に誘引した水を衝突体１１に衝突させて微細水滴発生手段１２により微細水滴を発生するようにしたが、貯水槽の水を回動する吸上管を用いて吸い上げ拡散板に誘導するにしてもよく、同様の効果を発揮するものである。
【００５５】
（実施の形態２）
図４に示すように、水拡散板と送風機を回転するモータ８Ａおよび給水ポンプ７Ａなどの電気で駆動される部材と浄水ユニット１７Ａとを設けた本体５Ａの電気回路を切替スイッチ１９を介して電源２０に接続し、切替スイッチ１９はタイマー２２の指示により、本体５Ａの電気回路がオフに切り替わったときに、使用者に知らしめる表示手段２１の電気回路がオンとなるよう設定されている。タイマー２２は本体５Ａの運転時間を積算して記録し、積算された運転時間が、浄水ユニット１７Ａに設けた防かび、防菌剤の標準的な寿命時間を超えた後に、タイマー２２により切替スイッチ１９を切替え、表示手段２１を駆動するように設ける。また浄水ユニット１７Ａの標準的な寿命時間としては、実施の形態１で説明したように、防かび、防菌剤の効果を発揮する３０日間としている。
【００５６】
上記構成において、給水ポンプ７Ａおよびモータ８Ａを運転している間は浄水ユニット１７Ａにも同一時間の通水がなされ、タイマー２２により積算された運転時間が、あらかじめ設定された防かび、防菌剤の寿命時間を超えた後に切替スイッチ１９を切替え、本体５Ａの電気回路をオフとし、表示手段２１の電気回路がオンとなり、表示手段２１により浄水ユニット１７Ａが寿命となったことを使用者に知らしめることができる。
【００５７】
このように、運転時間を積算するタイマー２２と、表示手段２１を設け、運転時間が浄水ユニット１７Ａの標準的な寿命時間を超えた後に、表示手段２１を駆動することにより、浄水ユニット１７Ａが色変化して交換が忘れられても、使用者に浄水ユニット１７Ａの寿命が来たことを知らしめることができる。このとき使用者が浄水ユニット１７Ａを交換することにより、負イオン発生装置を防かび、防菌の効果を有する正常な状態で運転を続けることができる。
【００５８】
なお、実施の形態２では、使用者に知らしめるのに表示手段２１を用いたが、報知手段を用いても同様の作用効果をもたらすこととなる。
【００５９】
（実施の形態３）
図５および図６に示すように、浄水ユニット１７Ｂの濾過器１６Ａに、複数の収納部２３Ａと２３Ｂを形態し、１つの収納部２３Ａには、防かび、防菌剤からなる薬剤含浸ペレット１５Ａを収納し、残りの収納部２３Ｂには臭気を脱臭する活性炭や光触媒などの脱臭手段２４を収納し構成する。
【００６０】
上記構成において、浄水ユニット１７Ｂの濾過器１６Ａを通る水は収納部２３Ａに収納した薬剤含浸ペレット１５Ａにより、防かび、防菌され、収納部２３Ｂに収納された脱臭手段２４により脱臭されることとなる。
【００６１】
また、図７に示すように、浄水ユニット１７Ｃの濾過器１６Ａに設けられた収納部２３Ａに薬剤含浸ペレット１５Ａを収納し、収納部２３Ｂに水中の不純物であるマグネシウムやカルシウム化合物の生成を抑制するイオン交換樹脂からなるイオン交換手段２５を収納し、構成する。
【００６２】
上記構成において、浄水ユニット１７Ｃの濾過器１６Ａを通る水は、収納部２３Ａに収納された薬剤含浸ペレット１５Ａにより防かび、防菌され、収納部２３Ｂに収納したイオン交換手段２５により、水中のマグネシウムやカルシウムが化学結合して不純物となるのを抑制して、本体５内を清潔に保つことができる。
【００６３】
このように、濾過器１６Ａに複数の収納部２３Ａ、２３Ｂを設け、少なくとも１つの収納部２３Ａに薬剤含浸ペレット１５Ａを収納し、残りの収納部２３Ｂに脱臭手段２４またはイオン交換手段２５を収納することにより、防かび、防菌効果に加え、臭気を除去したり、水中の不純物生成を抑制することができ、広範囲の浄水機能を発揮することができるものである。
【産業上の利用可能性】
【００６４】
防かび、防菌効果をもたらす薬剤含浸ペレットと濾過器を一体とした浄水ユニットを用いて、容易に水を浄化できるので、溜水を用いる加湿器や冷風扇などの用途にも適用できる。
【図面の簡単な説明】
【００６５】
【図１】本発明の実施の形態１の負イオン発生装置の断面図
【図２】同負イオン発生装置の内部構成を示す斜視図
【図３】同負イオン発生装置の水交換と貯水槽清掃のタイムチャート
【図４】本発明の実施の形態２の負イオン発生装置の制御を示すブロック図
【図５】本発明の実施の形態３の負イオン発生装置の濾過器の斜視図
【図６】同負イオン発生装置の脱臭手段を設けた浄水ユニットの断面図
【図７】同負イオン発生装置のイオン交換手段を設けた浄水ユニットの断面図
【図８】従来の負イオン発生装置の断面図
【図９】従来の他の負イオン発生装置の水質検知手段を示す構成図
【図１０】従来の空気清浄機の断面図
【図１１】同空気清浄機の制御および駆動回路のブロック図
【符号の説明】
【００６６】
４      送風手段
５      本体
５Ａ    本体
６      貯水槽
７      給水ポンプ
１１    衝突体
１３    負イオン発生手段
１４    水の戻り流路
１５    薬剤含浸ペレット
１５Ａ  薬剤含浸ペレット
１６    濾過器
１６Ａ  濾過器
１７    浄水ユニット
１７Ａ  浄水ユニット
１８    最高水位
２１    表示手段
２２    タイマー
２３Ａ  収納部
２３Ｂ  収納部
２４    脱臭手段
２５    イオン交換手段
【図１】
2006075270.tif 000003
【図２】
2006075270.tif 000004
【図３】
2006075270.tif 000005
【図４】
2006075270.tif 000006
【図５】
2006075270.tif 000007
【図６】
2006075270.tif 000008
【図７】
2006075270.tif 000009
【図８】
2006075270.tif 000010
【図９】
2006075270.tif 000011
【図１０】
2006075270.tif 000012
【図１１】
2006075270.tif 000013